(57)【要約】      （修正有）【課題】食材からの油はねなどが手に当たるのを防止することができるグリル付き調理器具を提供すること。【解決手段】グリル室４を備えたコンロ本体（調理器具本体）２と、グリル室４に引出し自在に装着されたグリル受皿６とを備えたガスコンロ（調理器具）。グリル受皿６は、グリル調理を行う調理収納位置とグリル室４から引き出した引出し位置との間を移動自在に支持され、このグリル受皿６の引出し扉２４に上部開閉扉２６が開閉自在に装着されている。この上部開閉扉２６に関連して扉開閉機構３０，３２が設けられ、扉開閉機構３０，３２の第１作用部材３８及び第１アーム部材３４は、第１移動範囲において上部開閉扉を閉位置に保持し、その第２作用部材及び第２アーム部材は、第２移動範囲においてグリル受皿の引出し位置側への移動に伴い上部開閉扉２６を開位置に向けて移動させる。【選択図】図１
2017187184.tif 000002
【特許請求の範囲】
【請求項１】
グリル室を備えた調理器具本体と、前記グリル室に引出し自在に装着されたグリル受皿とを備えたグリル付き調理器具であって、
前記グリル受皿は、グリル調理をすべき食材が載置されるグリル皿部と、前記グリル室の前面側を覆うための引出し扉と、前記引出し扉に開閉自在に装着された上部開閉扉とを備えており、
前記グリル受皿の前記上部開閉扉に関連して、前記上部開閉扉を開閉するための扉開閉機構が設けられ、前記扉開閉機構は、前記グリル受皿側に揺動自在に設けられた第１及び第２アーム部材と、前記第１及び第２アーム部材のそれぞれに対応して前記グリル室側に設けられた第１及び第２作用部材とを備え、前記第１作用部材及び第１アーム部材は、前記調理収納位置から前記引出し位置に向けた中間位置までの第１移動範囲において相互に作用して前記上部開閉扉を閉位置に保持し、前記第２作用部材及び第２アーム部材は、前記中間位置から前記引出し位置までの第２移動範囲において相互に作用し、前記グリル受皿の前記引出し位置側への移動に伴い前記上部開閉扉を開位置に向けて移動させることを特徴とするグリル付き調理器具。
【請求項２】
前記グリル受皿は、前記グリル室に設けられた一対の支持レール機構を介して前記調理収納位置と前記引出し位置との間を移動自在に支持されており、前記第１アーム部材は、前記一対の支持レール機構の両内側に配設され、また前記第２アーム部材は、前記一対の支持レール機構の両外側に配設され、対応する前記第１アーム部材及び前記第２アーム部材が揺動軸を介して一体的に揺動するように連結されていることを特徴とする請求項１に記載のグリル付き調理器具。
【請求項３】
前記第１アーム部材は、前記一対の支持レール機構の両内側にて前記グリル受皿の前記引出し扉に向けて途中まで延び、前記第１作用部材は、前記第１移動範囲の終端部近傍に配置され、また記第２アーム部材は、前記一対の支持レール機構の両外側にて前記引出し扉まで延び、前記引出し扉の開口を通して前記上部開閉扉の底部に作用し、前記第２作用部材は、前記第２移動範囲の終端部近傍に配置されていることを特徴とする請求項２に記載のグリル付き調理器具。
【請求項４】
前記上部開閉扉は、前記引出し扉に着脱自在に装着されていることを特徴とする請求項１〜３のいずれかに記載のグリル付き調理器具。
【請求項５】
前記グリル室の開口部には、前記調理収納位置に位置する前記グリル受皿の前記上部開閉扉を検知するための開閉検知センサが設けられていることを特徴とする請求項４に記載のグリル付き調理器具。
【発明の詳細な説明】
【技術分野】
【０００１】
本発明は、グリル調理を行うことができるグリル受皿を備えたグリル付き調理器具に関する。
【背景技術】
【０００２】
例えば、調理器具としてのガスコンロは、調理用バーナに加えてグリル用バーナを備えたものが広く実用に供され、このグリル用バーナによるグリル調理はグリル受皿を用いて行われる。このガスコンロのコンロ本体には、グリル調理を行うためのグリル室が設けられ、このグリル室にグリル受皿が調理収納位置と引出し位置との間を引出し自在に設けられている。引出し位置においては、グリル受皿がグリル室から引き出され、このグリル受皿にグリル調理をすべき食材を載せることができるとともに、グリル調理を施した調理済み食材を取り出すことができ、また調理収納位置に位置付けると、グリル受皿がグリル室に収容され、グリル受皿に載置された食材に対してグリル調理を行うことができる。
【０００３】
このようなグリル付きガスコンロ（調理器具）では、調理済み食材の取出しを容易にする、調理中の食材の裏返しを容易にするなどのために、グリル受皿の引出し扉に上部開閉扉を開閉自在に装着したものが提案されている（例えば、特許文献１参照）。このグリル付きガスコンロでは、引出し扉に上下方向に移動自在に上部開閉扉が装着され、引出し扉とグリル皿部との間に支持アーム部材が揺動自在に装着されている。
【０００４】
このガスコンロにおいては、グリル受皿を調理収納位置に位置付けると、支持アーム部材の一端側がコンロ本体の一部に作用して所定方向に回動され、この回動によって、その他端側が上部開閉扉に作用して上部開閉扉を上方に移動させて閉位置に位置付ける。また、グリル上皿を調理収納位置から引出し位置に向けて移動させると、支持アーム部材がコンロ本体から離れて所定方向と反対方向に回動され、この回動によって、支持アーム部材の他端側が上部開閉扉を下方に移動させて開位置に位置付ける。上部開閉扉がこのように開閉動されるので、グリル受皿を引出し位置に移動させたときには、その移動に伴って上部開閉扉が開位置に位置付けられ、調理済み食材の取出しなどを容易に行うことができる。
【先行技術文献】
【特許文献】
【０００５】
【特許文献１】特許第３３２４８４２号公報
【発明の概要】
【発明が解決しようとする課題】
【０００６】
しかしながら、上述したガスコンロ（調理器具）では、次の通りの解決すべき問題がある。即ち、上部開閉扉の開閉動が引出し扉とグリル皿部との間に設けられた支持アーム部材の揺動でもって行われるために、グリル受皿を調理収納位置から引出し位置に向けて少し移動させた段階で上部開閉扉が開位置に位置付けられる。例えば、グリル調理中に焼き加減を確認するために、或いはグリル調理終了後に調理済み食材を取り出すためにグリル室を少し開けた段階でグリル室の上部が開放され、それ故に、グリル調理の食材からの油はねなどが、開放された空間を通してグリル受皿の取っ手を持つ調理者の手に当たるおそれがある。
【０００７】
本発明の目的は、食材からの油はねなどが手に当たるのを防止することができるグリル付き調理器具を提供することである。
【課題を解決するための手段】
【０００８】
本発明の請求項１に記載のグリル付き調理器具は、グリル室を備えた調理器具本体と、前記グリル室に引出し自在に装着されたグリル受皿とを備えたグリル付き調理器具であって、
前記グリル受皿は、グリル調理をすべき食材が載置されるグリル皿部と、前記グリル室の前面側を覆うための引出し扉と、前記引出し扉に開閉自在に装着された上部開閉扉とを備えており、
前記グリル受皿の前記上部開閉扉に関連して、前記上部開閉扉を開閉するための扉開閉機構が設けられ、前記扉開閉機構は、前記グリル受皿側に揺動自在に設けられた第１及び第２アーム部材と、前記第１及び第２アーム部材のそれぞれに対応して前記グリル室側に設けられた第１及び第２作用部材とを備え、前記第１作用部材及び第１アーム部材は、前記調理収納位置から前記引出し位置に向けた中間位置までの第１移動範囲において相互に作用して前記上部開閉扉を閉位置に保持し、前記第２作用部材及び第２アーム部材は、前記中間位置から前記引出し位置までの第２移動範囲において相互に作用し、前記グリル受皿の前記引出し位置側への移動に伴い前記上部開閉扉を開位置に向けて移動させることを特徴とする。
【０００９】
また、本発明の請求項２に記載のグリル付き調理器具では、前記グリル受皿は、前記グリル室に設けられた一対の支持レール機構を介して前記調理収納位置と前記引出し位置との間を移動自在に支持されており、前記第１アーム部材は、前記一対の支持レール機構の両内側に配設され、また前記第２アーム部材は、前記一対の支持レール機構の両外側に配設され、対応する前記第１アーム部材及び前記第２アーム部材が揺動軸を介して一体的に揺動するように連結されていることを特徴とする。
【００１０】
また、本発明の請求項３に記載のグリル付き調理器具では、前記第１アーム部材は、前記一対の支持レール機構の両内側にて前記グリル受皿の前記引出し扉に向けて途中まで延び、前記第１作用部材は、前記第１移動範囲の終端部近傍に配置され、また記第２アーム部材は、前記一対の支持レール機構の両外側にて前記引出し扉まで延び、前記引出し扉の開口を通して前記上部開閉扉の底部に作用し、前記第２作用部材は、前記第２移動範囲の終端部近傍に配置されていることを特徴とする。
【００１１】
また、本発明の請求項４に記載のグリル付き調理器具では、前記上部開閉扉は、前記引出し扉に着脱自在に装着されていることを特徴とする。
【００１２】
更に、本発明の請求項５に記載のグリル付き調理器具では、前記グリル室の開口部には、前記調理収納位置に位置する前記グリル受皿の前記上部開閉扉を検知するための開閉検知センサが設けられていることを特徴とする。
【発明の効果】
【００１３】
本発明の請求項１に記載のグリル付き調理器具によれば、グリル受皿の上部開閉扉に関連して、上部開閉扉を開閉するための扉開閉機構が設けられ、この扉開閉機構は、グリル受皿側に揺動自在に設けられた第１及び第２アーム部材と、第１及び第２アーム部材のそれぞれに対応してグリル室側に設けられた第１及び第２作用部材とを備え、第１作用部材及び第１アーム部材は、第１移動範囲において相互に作用して上部開閉扉を閉位置に保持するので、グリル受皿を引出し位置に向けてある程度移動させないと上部開閉扉が開放されることはなく、従って、グリル室を開放する際の食材からの油はねなどが手に当たるのを防止することができる。
【００１４】
この上部開閉扉を閉位置に保持する状態を長く保つには第１移動範囲を長くすればよく、調理収納位置と引出し位置との間の移動距離をＬとすると、この第１移動範囲（Ｈ１）は、この移動距離Ｌの３０〜６０％程度（０．３Ｌ≦Ｈ１≦０／６Ｌ）とするのが好ましい。
【００１５】
また、本発明の請求項２に記載のグリル付き調理器具によれば、第１アーム部材は、グリル受皿を移動自在に支持する一対の支持レール機構の両内側に配設され、また第２アーム部材は、一対の支持レール機構の両外側に配設され、第１アーム部材及び第２アーム部材が揺動軸を介して一体的に揺動するように連結されているので、第１移動範囲においては、第１アーム部材及び第１作用部材の作用によって、上部開閉扉を閉位置に保持することができ、また第２移動範囲においては、第２アーム部材及び第２作用部材の作用によって、グリル受皿の引出し位置側への移動に伴い上部開閉扉を開位置に向けて移動させることができる。
【００１６】
また、本発明の請求項３に記載のグリル付き調理器具によれば、第１アーム部材はグリル受皿の引出し扉に向けて途中まで延び、第１作用部材は第１移動範囲の終端部近傍に配置されているので、第１移動範囲においては、第１作用部材を第１アーム部材に作用させて上部開閉扉を閉位置に保持することができる。また、第２アーム部材は引出し扉まで延び、引出し扉の開口を通して上部開閉扉の底部に作用し、第２作用部材は第２移動範囲の終端部近傍に配置されているので、第２移動範囲においては、第２作用部材を第２アーム部材に作用させてグリル受皿の引出し位置側への移動に伴い上部開閉扉を開位置に向けて移動させることができる。
【００１７】
また、本発明の請求項４に記載のグリル付き調理器具によれば、上部開閉扉は、引出し扉に着脱自在に装着されているので、この上部開閉扉を引出扉から取り外すことにより手入れを容易に行うことができる。
【００１８】
更に、本発明の請求項５に記載のグリル付き調理器具によれば、グリル室の開口部に開閉検知手段が設けられているので、この開閉検知手段により、グリル受皿が調理収納位置に位置すること、また引出し扉に上部開閉扉が装着されていることを検知することができる。
【図面の簡単な説明】
【００１９】
【図１】本発明に従うグリル付き調理器具の一実施形態におけるグリル室及びこれに装着されたグリル受皿を示す断面図。
【図２】図１の調理器具のグリル室及びその近傍を上方から見た断面図。
【図３】図１のグリル受皿を一部切り欠いて上方から見た平面図。
【図４】グリル受皿が調理収納位置に位置するときの状態を示す断面図。
【図５】グリル受皿が第１移動範囲と第２移動範囲との間の境界域まで移動したときの状態を示す断面図。
【図６】グリル受皿が第２移動範囲を移動するときの状態を示す断面図。
【図７】グリル受皿が引出し位置まで移動したときの状態を示す断面図。
【図８】上部開閉扉が閉位置にあるときの状態を示す断面図。
【図９】図８におけるＩＸ−ＩＸ線による断面図。
【図１０】引出し扉から上部開閉扉を取り外すときの状態を示す断面図。
【発明を実施するための形態】
【００２０】
以下、添付図面を参照して、本発明に従うグリル付き調理器具の一実施形態をグリル付きガスコンロに適用して説明する。図１〜図３において、図示のグリル付きガスコンロはコンロ本体２（調理器具本体を構成する）を備え、図示していないが、コンロ本体２の上面における左部及び右部に加熱調理用バーナが設けられ、このコンロ本体２の中央部にグリル室４が設けられ、このグリル室４にグリル受皿６が矢印８で示す方向に引出し自在に設けられている。この形態では、コンロ本体２の底壁１０、天壁１２（図４〜図７参照）及びこれらの間に配設された仕切り側壁１４，１６によってグリル室４が規定され、このグリル室４の前面側は開放されている。
【００２１】
グリル受皿６は、一対の支持レール機構１８，２０を介して図４に示す調理収納位置と図７で示す引出し位置との間を移動自在に支持されている。一対の支持レール機構１８，２０は、コンロ本体２の前後方向（図１〜図７において左右方向）に延び、グリル受皿６は、一対の支持レール機構１８，２０を介してグリル室４内を前後方向に移動される。
【００２２】
グリル受皿６は、グリル調理すべき食材（図示せず）が載置されるグリル皿部２２と、グリル皿部２２の前端部に設けられた引出し扉２４と、この引出し扉２４に開閉自在に装着された上部開閉扉２６とを備え、引出し扉２４の前面には、グリル受皿６を引出し位置に向けて引き出すための取っ手２５が設けられている。この形態では、一対の支持レール機構１８，２０は、相互に移動自在に装着された下支持レール２７及び上支持レール２８から構成され、下支持レール２７がグリル室４の底面（具体的には、コンロ本体２の底壁１０）に幅方向（図１及び図２において上下方向）に間隔をおいて取り付けられ、上支持レール２８がグリル受皿６のグリル皿部２２の両側部に取り付けられる。尚、グリル皿部２２を取外し可能に構成する場合、引出し扉２４の内面にレール連結部材が設けられ、このレール連結部材の両端部に一対の支持レール機構１８，２０の上支持レール２８が連結される。
【００２３】
このガスコンロでは、グリル受皿６の上部開閉扉２６に関連して、この上部開閉扉２６を開閉移動させるための一対の扉開閉機構３０，３２が設けられている。片方の扉開閉機構３０は、片側（図１〜図３において下側）の支持レール機構１８に対応して設けられ、他方の扉開閉機構３２は、他側（図１〜図３において上側）の支持レール機構２０に対応して設けられている。一対の扉開閉機構３０，３２は実質上同一の構成であり、以下それらの一方の扉開閉機構３０の構成及び作用について説明する。
【００２４】
図示の扉開閉機構３０（３２）は、グリル受皿６側に設けられた第１及び第２アーム部材３４，３６と、グリル室４側に設けられた第１及び第２作用部材３８，４０とから構成されている。第１アーム部材３４は支持レール機構１８（上支持レール２８）の内側に配設され、第２アーム部材３６は支持レール機構１８の外側に配設され、第１及び第２アーム部材３４，３６の後端部は、揺動軸４１を介してグリル皿部２２又は上支持レール２８に装着されている。従って、第１及び第２アーム部材３４，３６は、後述するように、揺動軸４１を中心として上下方向に一体的に揺動される。尚、グリル皿部２２が取外し可能に構成される場合、第１及び第２アーム部材３４，３６は、上支持レール２８に取り付けられる。
【００２５】
第１アーム部材３４は直線状に形成され、その先端側は前方、即ち引出し扉２４に向けて途中まで延びている。この第１アーム部材３４は、後に説明するように、第１作用部材３８と協働して上部開閉扉２６を閉位置（図４及び図５に示す位置）に保持するための働きをする。また、第２アーム部材３６は、後部４２側が略円弧状に形成され、その前部４４側が前方に向けて上方に傾斜するように形成され、その前端部が引出し扉２４に装着された上部開閉扉２６の底部に作用する。この第２アーム部材３６は、後に説明するように、第２作用部材４０と協働して上部開閉扉２６を開閉移動させる（即ち、図７に示す開位置に向けて、また上記閉位置に向けて移動させる）働きをする。尚、上部開閉扉２６の装着構造などについては、図８〜図１０を参照して後述する。
【００２６】
第１作用部材３８は、第１アーム部材３４に対応して配設され、この形態では、グリル室４の前後方向中間部であって、後述する第１移動範囲の終端部近傍に配設されている。また、第２作用部材４０は、第２アーム部材３６に対応して配設され、この形態では、グリル室４の開口部内側付近であって、第２移動範囲の終端部近傍に配設されている。
【００２７】
ここで、グリル受皿６の移動範囲と上開閉扉２６の開閉動作について説明する。グリル受皿６は、図４に示す調理収納位置と図７に示す引出し位置との間を前後方向に移動される。調理収納位置に位置するときには、グリル皿部２２がグリル室４に収納され、引出し扉２４及び上部開閉扉２６がグリル室４の開口を閉じ、グリル皿部２２に載置された食材に対するグリル調理が行われる。また、引出し位置に位置するときには、グリル皿部２２の大部分がグリル室４から引き出され、グリル皿部２２への食材の載置、またグリル調理済み食材の取出しなどが行われる。
【００２８】
グリル受皿６は、調理収納位置と引出し位置との間を移動するが、この調理収納位置に位置するとき、またこの調理収納位置から引出し位置に向けて移動する所定範囲においては、グリル室４側の第１作用部材３８が第１アーム部材３４に作用して揺動軸４１の回動を阻止し、従って、この移動範囲、即ち第１移動範囲においては第１アーム部材３４及び第１作用部材３８が協働して上部開閉扉２６を閉位置に保持する。
【００２９】
この第１移動範囲（Ｈ１）は、調理収納位置と引出し位置との間の移動距離をＬとしたときに、この移動距離Ｌの３０〜６０％程度（０．３Ｌ≦Ｈ１≦０／６Ｌ）とするのが好ましく、このように設定することによって、グリル受皿６が引出し位置に向けてある程度（約半分程度）移動しないと上部開閉扉２６が開位置に向けて移動することがなく、これによって、グリル室４を開放する際の食材からの油はねなどが手に当たるのを防止することができる。尚、第２アーム部材３６の前部４４は前方に向けて上方に傾斜しているので、この第１移動範囲（Ｈ１）を移動する間においては、第２作用部材４０が第２アーム部材３６の前部４４に実質上作用することはない。
【００３０】
また、この第１移動範囲（Ｈ１）を超えて引出し位置に移動する所定範囲、即ち第２移動範囲（Ｈ２）においては、第１アーム部材３４が第１作用部材３８から離れる一方、第２アーム部材３６の後部４２が第２作用部材４０に当接し、この第２作用部材４０がこの第２作用部材作用するようになる。従って、この第２移動範囲（Ｈ２）においては、上部開閉扉２６の自重により第２アーム部材４０が揺動軸４１を中心として下方に偏倚され、第２アーム部材４０の後部４２が略弧状となっていることから、この第２移動範囲（Ｈ２）内を引出し位置に向けて移動するときには、第２アーム部材３６が自重により下方に揺動され、これに伴い、上部開閉扉２６が開位置に向けて下方に移動され、また調理収納位置に向けて移動するときには、第２作用部材４０が第２アーム部材３６に作用して上方に揺動し、これに伴い、上部開閉扉２６が閉位置に向けて上方に移動される。従って、この第２移動範囲においては、第２アーム部材３６及び第２作用部材４０が協働して上部開閉扉２６を開閉移動する。
【００３１】
このガスコンロでは、図４〜図７に示すように、グリル室４の開口部、具体的にはその上端部に開閉検知センサ５２が設けられている。この開閉検知センサ５２は機械的スイッチ、近接センサなどから構成される。このように開閉検知センサ５２を設けた場合、引出し扉２４を調理収納位置まで移動させると、この開閉検知センサ５２は上部開閉扉２６を検知する。この開閉検知センサ５２の検知信号を利用して例えばグリル用バーナの点火燃焼を制御することによって、グリル受皿６が上記調理収納位置にない（例えば、引出し位置に引き出しているなど）、後述するように引出し扉２４に上部開閉扉２６が着脱自在に装着される場合における上部開閉扉２６を付け忘れているなどのときに、このグリル用バーナが点火燃焼されることがなく、これにより、使用上の安全性を確保することができる。
【００３２】
次に、主として図１とともに図４〜図７を参照して、グリル受皿６の移動に伴う上部開閉扉２６の開閉動について説明する。グリル調理を行うときには、グリル受皿６は、図４に示す調理収納位置に位置付けられる。この状態においては、グリル受皿６の上部開閉扉２６は、第１アーム部材３４及び第１作用部材３８（理解を容易にするために、図４〜図７において破線で示している）の作用によって閉位置に保持され、グリル室４の開口は、引出し扉２４及び上部開閉扉２６によって覆われた状態に保たれる。
【００３３】
この調理収納位置から引出し位置に向けて第１移動範囲を移動する間においては、第１作用部材３８が第１アーム部材３４に作用し続け、第２アーム部材３６の下方への移動が阻止され、上部開閉扉２６は上記閉位置に保持され続け、このように構成することにより、グリル受皿６を引出し位置に向けて移動させて直ぐに上部開閉扉２６が開位置に向けて移動するのを防止することができる。このとき、第２作用部材４０が第２アーム部材３６の前部４４に作用することはない。
【００３４】
グリル受皿６の取っ手２５に手をかけてグリル受皿６を第１移動範囲（Ｈ１）の終端部（即ち、第１移動範囲（Ｈ１）と第２移動範囲（Ｈ２）の境界域）まで移動させると、図５に示すように、第１アーム部材３４が第１作用部材３８から離れる一方、第２アーム部材３６が第２作用部材４０に当接し始め、第２作用部材４０が第２アーム部材３６の後部４２に作用するようになる。
【００３５】
このようにしてグリル受皿６が引出し位置に向けて第２移動範囲（Ｈ２）を移動する間においては、図６に示すように、第２作用部材４０が第２アーム部材３６の後部４２に作用し、第２アーム部材３６の後部４２及び第２作用部材４０によって、グリル受皿６の引出し位置に向けての移動に伴い、第２アーム部材３６が下方に揺動され、これによって、上部開閉扉２６は、開位置に向けて下方に移動される。
【００３６】
そして、グリル受皿６を引出し位置まで引き出すと、図７に示すように、第２アーム部材３６が下限揺動位置まで揺動することによって、上部開閉扉２６は開位置まで下降され、
これによって、グリル室４の開口及びその前方空間が大きく開放され、グリル調理済み食材の取り出しなどが容易となる。この引出位置に位置付けた状態においては、図７に示すように、第１及び第２アーム部材３４，３６がコンロ本体２（具体的には、引出し扉２４の下端）よりも下方に突出しないように構成するのが好ましく、このように構成することにより、安全性及び外観上の美観を保つことができる。
【００３７】
次に、図８〜図１０を参照して、引出し扉２４及びそれに関連する具体的構成について説明する。上部扉部材２６が引出し扉２４に開閉自在に装着されることに関連して、この引出し扉２４は、前壁６２、後壁６４、両側壁６５（一方のみ示す）及び底壁６６を備えたボックス状に構成される。この引出し扉２４は、これらの壁６２，６４，６６によって規定された扉収容空間６８を備え、この扉収容空間６８に上部開閉扉２６の下部が収容され、この上部開閉扉２６の上部は、引出し扉２４の上面開口を通して上方に突出している。
【００３８】
このような引出し扉２４の後壁６４の両側部には、その底壁６６から後壁６４にわたって下端から上方に延びる切欠き７０，７２が設けられ、片方の扉開閉機構３０の第２アーム部材３６の先端部が一方（図９において左側）の切欠き７０を通して扉収容空間６８内に突出して上部開閉扉２６に片側部を支持し、他方の扉開閉機構３２の第２アーム部材３６の先端部が他方（図９において右側）の切欠き７２を通して扉収容空間６８内に突出して上部開閉扉２６の他側部を支持する。
【００３９】
この実施形態では、引出し扉２４の前壁６２の内面上端部には内側に突出する当接突部７０が設けられ、また上部開閉扉２６の前面における上下方向中間部には肩部７２が設けられ、この肩部７２が当接突部７０に当接することによって、上部開閉扉２６の閉位置（図８に示すとともに図９に実線で示す位置）を越える移動が阻止される。尚、この上部開閉扉２６が開位置（図９に一点鎖線で示す位置）まで移動すると、その下面が引出し扉２４の底壁６６に当接する。
【００４０】
この引出し扉２４は、上部扉部材２６が着脱自在に取り付けられるように、次のように構成される。即ち、引出し扉２４の下端部の両側部には、後壁６４側に突出するブラケット７４（側壁６５側のみを示す）が設けられ、このブラケット７４が連結ピン７６を介して側壁６５に旋回自在に連結されている。従って、この前壁６４は、連結ピン７６を中心として図８に示す第１角度位置と図１０に示す第２角度位置との間を旋回自在である。従って、前壁６２を上記第２角度位置まで旋回させると、図１０から理解される如く、引出し扉２４の上面開口が拡がり、この状態において上部開閉扉２６を上方に持ち上げることにより、この上部開閉扉２６を引出し扉２４から取り外すことができる。
【００４１】
以上、本発明に従うグリル付き調理器をガスコンロに適用して説明したが、本発明はかかる実施形態に限定されるものではなく、本発明の範囲を逸脱することなく種々の変更乃至修正が可能である。
【符号の説明】
【００４２】
２  コンロ本体
４  グリル室
６  グリル受皿
１８，２０  支持レール機構
２４  引出し扉
２６  上部開閉扉
３０，３２  扉開閉機構
３４  第１アーム部材
３６  第２アーム部材
３８  第１作用部材
４０  第２作用部材
５２  開閉検知センサ
【図１】
2017187184.tif 000003
【図２】
2017187184.tif 000004
【図３】
2017187184.tif 000005
【図４】
2017187184.tif 000006
【図５】
2017187184.tif 000007
【図６】
2017187184.tif 000008
【図７】
2017187184.tif 000009
【図８】
2017187184.tif 000010
【図９】
2017187184.tif 000011
【図１０】
2017187184.tif 000012